(57)【要約】【課題】テンプレートを容易に作成可能とし、ユーザにとっての利便性を向上する。【解決手段】テンプレート作成プログラムは、操作端末１０の制御回路１０２に対し、所望の部位に付箋ｈ１ａ，ｈ１ｂを貼付した印字ラベルＬ０の読み取り画像データＨ０を取得させ、取得した読み取り画像データＨ０中に含まれる第１画像データＨ１及び第２画像データＨ２を識別させ、識別した第１画像データＨ１に対応する部位を内容可変の印字オブジェクトＱ１の配置領域とするとともに、当該印字オブジェクトＱ１以外の部位を第２画像データＨ２を変倍した画像の固定画像領域Ｑ２としたテンプレートＴを生成させ、生成したテンプレートＴに備えられた印字オブジェクトに対し所望の文字又は図像を割り当てることで、印字ラベルＬをラベル作成装置２０が作成するための印刷データを生成させる。【選択図】図５
2020110974.tif 000002
【特許請求の範囲】
【請求項１】
印字オブジェクトが所定の態様で割り付けられて構成されるテンプレートを用いて印刷物を作成する印刷装置に接続可能に構成された操作端末の演算手段に対し、
所望の部位にマスキング部材を貼付した読み取り対象物の、読み取り画像データを取得する画像取得手順と、
前記画像取得手順で取得した前記読み取り画像データ中に含まれる、前記マスキング部材の外観の第１画像データ、及び、前記読み取り対象物のうち前記マスキング部材が貼られていない部分の外観の第２画像データ、をそれぞれ識別する画像識別手順と、
前記画像識別手順での識別に応じて、前記第１画像データに対応する部位を内容可変の前記印字オブジェクトの配置領域とするとともに、当該印字オブジェクトの配置領域以外の部位を前記第２画像データを変倍した画像の固定画像領域とした、前記テンプレートを生成するテンプレート生成手順と、
前記テンプレート生成手順で生成した前記テンプレートに備えられた前記印字オブジェクトに対し所望の文字又は図像を割り当てることで、前記印刷物を前記印刷装置が作成するための印刷データを生成する印刷データ生成手順と、
を実行させるための、テンプレート作成プログラム。
【請求項２】
請求項１記載のテンプレート作成プログラムにおいて、
前記テンプレート生成手順では、
前記印字オブジェクトの配置領域以外の部位を、前記第２画像データを予め定められた前記印刷物のサイズとなるように変倍した画像の前記固定画像領域とした、前記テンプレートを生成する
ことを特徴とするテンプレート作成プログラム。
【請求項３】
請求項１又は請求項２記載のテンプレート作成プログラムにおいて、
前記画像取得手順では、      
互いに異なる特徴を備えた複数の前記マスキング部材が貼付された前記読み取り画像データを取得し、
前記テンプレート生成手順では、
前記複数のマスキング部材に対応した複数の前記印字オブジェクトを配置した前記テンプレートを生成し、
前記印刷データ生成手順では、
複数の前記文字又は図像を、前記特徴に対応して予め定められた規則性に基づいて前記複数の印字オブジェクトにそれぞれ割り当てて、前記印刷データを生成する
ことを特徴とするテンプレート作成プログラム。
【請求項４】
請求項３記載のテンプレート作成プログラムにおいて、
前記画像取得手順では、
互いに異なる色を備えた前記複数のマスキング部材が貼付された前記読み取り画像データを取得する
ことを特徴とするテンプレート作成プログラム。
【請求項５】
請求項３又は請求項４記載のテンプレート作成プログラムにおいて、
前記複数の印字オブジェクトは、互いに異なる属性のオブジェクトである
ことを特徴とするテンプレート作成プログラム。
【請求項６】
請求項１乃至請求項５のいずれか１項記載のテンプレート作成プログラムにおいて、
前記テンプレート生成手順で生成される前記テンプレートは、
前記読み取り画像データを下層とし、前記第１画像データに対応する画像を前記下層の上に重ねられる上層とする、２層のレイヤー構造を備えている
ことを特徴とするテンプレート作成プログラム。
【請求項７】
請求項６記載のテンプレート作成プログラムにおいて、
前記演算手段に対し、さらに、
前記画像識別手順で識別した前記第２画像データ中の、前記第１画像データの周囲領域における色彩を識別する色彩識別手順を実行させ、
前記印刷データ生成手順では、
前記印字オブジェクトの背景色を、前記色彩識別手順で識別した前記色彩と一致させた、前記印刷データを生成する
ことを特徴とするテンプレート作成プログラム。
【請求項８】
請求項１乃至請求項７のいずれか１項記載のテンプレート作成プログラムにおいて、
前記印刷データ生成手順では、
少なくとも１つのフィールドに対し文字又は図像をそれぞれ割り当てた複数のレコードを含むデータベースに基づき、各レコードにおいて前記フィールドに割り当てられた前記文字又は図像を前記印字オブジェクトに割り付けることで、前記印刷データを生成する
ことを特徴とするテンプレート作成プログラム。
【請求項９】
被印字媒体を搬送させるための搬送手段と、前記搬送手段により搬送される前記被印字媒体に印字を行う印字手段と、制御手段と、を有し、
印字オブジェクトが所定の態様で配置されたテンプレートを用いて印刷物を作成する印刷装置であって、
前記制御手段は、
所望の部位にマスキング部材を貼付した読み取り対象物の、読み取り画像データを取得する画像取得処理；
前記画像取得処理で取得した前記読み取り画像データ中に含まれる、前記マスキング部材の外観の第１画像データ、及び、前記読み取り対象物のうち前記マスキング部材が貼られていない部分の外観の第２画像データ、をそれぞれ識別する画像識別処理；
前記画像識別処理での識別に応じて、前記第１画像データに対応する部位を内容可変の前記印字オブジェクトの配置領域とするとともに、当該印字オブジェクトの配置領域以外の部位を前記第２画像データを変倍した画像の固定画像領域とした、前記テンプレートを生成するテンプレート生成処理；
前記テンプレート生成処理で生成した前記テンプレートに備えられた前記印字オブジェクトに対し所望の文字又は図像を割り付けた印刷データに基づき前記搬送手段及び前記印字手段を制御し、対応する前記印刷物を作成する印刷物作成処理；
を実行することを特徴とする印刷装置。
【発明の詳細な説明】
【技術分野】
【０００１】
本発明は、印字オブジェクトを割り付けたテンプレートを作成するためのテンプレート作成プログラム、及び、そのテンプレートを用いて印刷を行う印刷装置に関する。
【背景技術】
【０００２】
例えばパソコン等の操作端末からの操作により、所望の印刷物を作成するシステムが、既に知られている（特許文献１参照）。このシステムでは、ユーザが操作端末（コンピュータ装置）を操作して作成したい印刷物（粘着材付ラベル）の印字内容を特定すると、対応する印字データが操作端末から印刷装置（テープ印字装置）へと送信される。そして、印刷装置に備えられた印字手段（サーマルヘッド）によって当該印字データに対応した印字が被印字媒体（ラミネートフィルム）に対し実行され、印刷物（粘着材付ラベル）が作成される。
【０００３】
上記のように操作端末を印刷装置に接続して印刷物を作成するとき、印刷物に印字するテキストや図像等の印字オブジェクトをすべてマニュアルで設定するのは、非常に煩雑である。そこで、この従来技術では、通常、複数の印字オブジェクトが所定の態様で割り付けられた、いわゆるテンプレートが複数種類用意されている。ユーザは、自らが意図する印字態様に適したテンプレートを選択し、当該テンプレートにおける印字オブジェクトに対し、所望のテキスト等を割り当てることにより、容易に所望の印刷物を作成することができる。
【先行技術文献】
【特許文献】
【０００４】
【特許文献１】特開２００６−９９２６１号公報
【発明の概要】
【発明が解決しようとする課題】
【０００５】
上記のようなテンプレートは、通常、上記操作端末において、ユーザによる適宜の操作によって作成される。したがって、その作成作業は決して簡単ではなく、例えば、慣れていないユーザがテンプレートを作成する場合や、印字内容が複雑なテンプレートを作成する場合には、労力負担が大きく、不便であった。
【０００６】
本発明の目的は、テンプレートを容易に作成可能とし、ユーザにとっての利便性を向上できる、テンプレート作成プログラム及び印刷装置を提供することにある。
【課題を解決するための手段】
【０００７】
上記目的を達成するために、本願発明は、印字オブジェクトが所定の態様で割り付けられて構成されるテンプレートを用いて印刷物を作成する印刷装置に接続可能に構成された操作端末の演算手段に対し、所望の部位にマスキング部材を貼付した読み取り対象物の、読み取り画像データを取得する画像取得手順と、前記画像取得手順で取得した前記読み取り画像データ中に含まれる、前記マスキング部材の外観の第１画像データ、及び、前記読み取り対象物のうち前記マスキング部材が貼られていない部分の外観の第２画像データ、をそれぞれ識別する画像識別手順と、前記画像識別手順での識別に応じて、前記第１画像データに対応する部位を内容可変の前記印字オブジェクトの配置領域とするとともに、当該印字オブジェクトの配置領域以外の部位を前記第２画像データを変倍した画像の固定画像領域とした、前記テンプレートを生成するテンプレート生成手順と、前記テンプレート生成手順で生成した前記テンプレートに備えられた前記印字オブジェクトに対し所望の文字又は図像を割り当てることで、前記印刷物を前記印刷装置が作成するための印刷データを生成する印刷データ生成手順と、を実行させる。
【０００８】
本願発明においては、印刷装置での印刷時に使用されるテンプレートを、入手済みの所望の対象物（読み取り対象物）を利用して作成することができる。
【０００９】
すなわち、ユーザは、既に入手している上記対象物のうち所望の箇所にマスキング部材を貼付する。そしてその状態で、読み取り装置に読み取りを行わせることで、対応する読み取り画像データが生成される。そして、テンプレート作成プログラムが操作端末の演算手段で実行されると、まず、上記生成された読み取り画像データが取得される（画像取得手順）。そして、その取得結果に基づき、その読み取り画像データ中の、マスキング部材の外観の画像データ（第１画像データ）と、前記マスキング部材が貼られていない読み取り対象物部分の外観の画像データ（第２画像データ）と、がそれぞれ識別される（画像識別手順）。
【００１０】
その後、上記第１画像データ及び第２画像データの識別結果に基づき、テンプレートが生成される（テンプレート生成手順）。すなわち、生成されるテンプレートにおいて、上記マスキング部材に対応する上記第１画像データについては、その第１画像データに対応する部位に印字オブジェクトが配置される（印字オブジェクト配置領域）。この印字オブジェクトの内容は可変となっており、ユーザの所望の文字や図像を挿入配置することができる。一方、生成されるテンプレートにおいて、上記マスキング部材以外の部分に対応する上記第２画像データについては、その第２画像データを（同一内容のまま）変倍しただけの画像が配置される（固定画像領域）。そして、上記のようにして生成されたテンプレートの上記印字オブジェクトに対し、前述した所望の文字や図像が割り当てられて配置されることで、印刷装置への印刷データが生成される（印刷データ生成手順）。
【００１１】
印刷装置がこの生成された印刷データに基づき印刷を行うことで、入手済みの読み取り対象物の外観に相当する画像を背景にしつつ、読み取り対象物の上記マスキング部材に相当する位置に、所望の文字や図像を配置した印刷物を手軽に作成することができる。
【００１２】
以上のように、本願発明によれば、入手済みの所望の対象物（読み取り対象物）にマスキング部材を貼付して読み取りを行うことで、上記マスキング部材に相当する位置に所望の文字や図像を配置可能なテンプレートを容易に作成することができる。この結果、ユーザにとっての利便性を向上することができる。
【発明の効果】
【００１３】
本発明によれば、テンプレートが容易に作成可能となり、ユーザにとっての利便性を向上することができる。
【図面の簡単な説明】
【００１４】
【図１】本発明の一実施形態に係る、複合機の外観を表す斜視図及び機能構成を表す機能ブロック図である。
【図２】操作端末の外観を表す正面図及び機能構成を表す機能ブロック図である。
【図３】ラベル作成装置の外観を表す正面図及び機能構成を表す機能ブロック図である。
【図４】ラベル作成装置の制御回路が実行する、ラベル作成に係わる制御手順を表すフローチャートである。
【図５】既存の印字ラベルの読み取り画像データからテンプレートを生成する手法の概略を表す説明図である。
【図６】テンプレートを用いて生成された印刷データのラベル作成装置への送信、及び、送信された印刷データから生成される印字ラベル、を表す説明図である。
【図７】テンプレートのレイヤー構造を表す説明図である。
【図８】操作端末の制御回路のＣＰＵによって実行される制御手順を表すフローチャートである。
【図９】ステップＳ２４０の詳細を表すフローチャートである。
【図１０】互いに異なる色の付箋を用いる変形例における、データベース内容を表すテーブル、及び、既存の印字ラベルの読み取り画像データからテンプレートを生成する手法の概略を表す説明図である。
【図１１】ステップＳ２４０の詳細を表すフローチャートである。
【発明を実施するための形態】
【００１５】
以下、本発明の一実施の形態を図面を参照しつつ説明する。本実施形態は、複合機により読み取った画像データ（後述）を用いて操作端末がテンプレートＴ（後述）を生成し、そのテンプレートを用いてラベル作成装置により印字ラベルが作成される場合の実施形態である。
【００１６】
＜複合機の構成＞
上記複合機２００の外観構成を図１（ａ）に、機能構成を図１（ｂ）に示す。図１（ａ）において、複合機２００は、装置本体２００Ａの上面に設けられた原稿台ガラス面を覆う原稿台カバー５４４と、装置本体２００Ａの前端上部に設けられた操作パネル５４０と、を備えている。操作パネル５４０は、ユーザによる入力操作を受け付ける各種のボタンやキー等から構成される手動入力部５４１と、メッセージや設定内容や動作状況を表示する、例えば入力機能を兼ねたタッチパネルとして構成される表示部５４２と、を有している。
【００１７】
また、図１（ｂ）に示すように、複合機２００は、ＣＰＵ５３１と、ＲＯＭ５３２と、ＲＡＭ５３３と、ＮＶＲＡＭ（Ｎｏｎ  Ｖｏｌａｔｉｌｅ  ＲＡＭ）５３４と、用紙に画像を印刷する画像形成部５１０と、画像読取部５１１と、上記操作パネル５４０と、操作端末１０との間で行われる無線通信の制御を行う通信制御部５３７と、がバスを介して相互に接続されている。
【００１８】
上記画像読取部５１１は、読み取り対象物（本実施形態では、例えば既存の印字ラベル。詳細は後述）を公知の手法で光学的に読み取り（スキャン）、対応する画像データ（以下適宜、「読み取り画像データ」と称する）を生成する。なお、このときの読取機構は、例えばＣＣＤであってもＣＩＳであってもよい。またスキャンの態様は、カラースキャンであってもモノクロスキャンであってもよい。
【００１９】
上記構成の複合機２００は、上記通信制御部５３７を介した無線通信により、携帯端末１０に対し、各種データや情報を送受信可能に接続されている。そして、ユーザが、原稿台カバー５４４を開けて露出した上記原稿台ガラス面（図示せず）に読み取り対象物を載置しセットした後、手動入力部５４１を適宜に操作することで、画像読取部５１１により上記読み取り対象物のスキャンが実行される。スキャン後の上記読み取り画像データは、上記通信制御部５３７による無線通信を介し、操作端末１０へと送信される。
【００２０】
なお、複合機２００に代えて読取機能のみを有する専用の読取機（スキャナ）を用いて上記読み取り対象物のスキャンを行い、対応する読み取り画像データを操作端末１０へ送信するようにしても良い。あるいは、デジタルカメラ等で撮影して生成した画像データ（この場合の読み取り画像データの一例に相当）を操作端末１０が取得する構成でも良い。
【００２１】
＜操作端末の構成＞
上記操作端末１０の外観構成を図２（ａ）に、機能構成を図２（ｂ）に示す。図２（ａ）に示すように、操作端末１０は、装置本体１２を有する。装置本体１２は、例えば液晶ディスプレイを備え各種情報や各種メッセージを表示し、またユーザが各種操作を行えるタッチパネル１１２と、ユーザが操作可能な操作ボタン１１０とを備えている。
【００２２】
また、操作端末１０は、図２（ｂ）に示すように、情報通信の制御を行う通信制御部１０８と、制御回路１０２と、例えばＥＥＰＲＯＭ等の不揮発性メモリから構成され各種情報を記憶するメモリ１０６と、上記操作ボタン１１０と、カメラ１１１と、上記タッチパネル１１２と、を有する。
【００２３】
上記制御回路１０２は、図示しないＣＰＵ（演算手段の一例に相当）、ＲＡＭ、及びＲＯＭを備え、ＣＰＵの演算機能により、ＲＡＭの一時記憶機能を利用しつつ、ＲＯＭに予め記憶された各種プログラムを実行する。この各種プログラムには、本実施形態のテンプレート作成プログラムを含む各種処理プログラムが含まれている。
【００２４】
上記構成の操作端末１００において、制御回路１０２は、通信制御部１０８を介した無線通信により、上記複合機２００、上記ラベル作成装置２０、及び外部サーバ３０に対し、各種データや情報を送受可能に接続されている。制御回路１０２の上記ＣＰＵは、上記テンプレート作成プログラムに基づき、前述のようにして無線通信を介し取得された上記画像データを用いてテンプレートＴを作成し、ラベル作成装置２０へ送信する（詳細は後述）。
【００２５】
＜ラベル作成装置の構成＞
ラベル作成装置２０の外観構成を図３（ａ）に、機能構成を図３（ｂ）に示す。図３（ａ）に示すように、ラベル作成装置（印刷装置の一例に相当）は、装置本体２２を有している。装置本体２２は、例えば液晶ディスプレイからなり各種情報や各種メッセージを表示する表示部２１２と、ユーザが各種操作を可能な操作部２１０と、装置本体２２内に配設されたカッタ２０７（図３（ｂ）参照）を駆動するためのカットレバー２１３とを備えている。操作部２１０には、文字、記号、及び数字等を入力するための入力キーを初めとする種々の機能キー２１０ａ等が含まれている。
【００２６】
また、ラベル作成装置２０は、図３（ｂ）に示すように、上記操作端末１０との情報通信の制御を行う通信制御部２０８と、制御回路２０２（制御手段の一例に相当）と、例えばＥＥＰＲＯＭ等の不揮発性メモリから構成され各種情報を記憶するメモリ２０６と、上記操作部２１０と、上記表示部２１２と、上記カットレバー２１３と、カートリッジホルダ２１６と、搬送装置２０９（搬送手段の一例に相当）と、印字ヘッド２０５（印字手段の一例に相当）と、カッタ２０７とを有する。
【００２７】
制御回路２０２は、図示しないＣＰＵ、ＲＡＭ、及びＲＯＭを備えている。この制御回路２０２は、ＲＡＭの一時記憶機能を利用しつつ、ＲＯＭに予め記憶された各種プログラムを実行し、ラベル作成装置２０全体の制御を行う
【００２８】
カートリッジホルダ２１６は、テープ２０３（被印字媒体に相当）を供給可能なカートリッジ２０１を着脱可能に構成されている。カートリッジ２０１は、テープ２０３を図示しないリール部材の周りに巻回したテープロール２０４（本来は渦巻き状であるが簡略化して同心円で図示している）を備えている。
【００２９】
搬送装置２０９は、印字ヘッド２０５に対向して設けられている。この搬送装置２０９は、制御回路２０２により制御されて、カートリッジホルダ２１６に装着したカートリッジ２０１から供給される、すなわち当該カートリッジ２０１のテープロール２０４から繰り出される、テープ２０３を搬送する。印字ヘッド２０５は、制御回路２０２により制御されて、テープロール２０４から繰り出され搬送装置２０９により搬送される上記テープ２０３に対し所望の印字を行う。カッタ２０７は、ユーザによりカットレバー２１３が操作されることで、印字ヘッド２０５による印字が終了したテープ２０３を所定の長さに切断して印字ラベルＬ（後述の図６（ｂ）等参照）とする。
【００３０】
上記のラベル作成装置２０において、制御回路２０２は、通信制御部２０８を介した無線通信により、上記操作端末１０に対し、各種データや情報を送受可能に接続されている。制御回路２０２は、前述のようにして無線通信を介し操作端末１００から取得された上記テンプレートＴを用いて上記テープ２０３に対し印字を行い、対応する印字ラベルＬ（印刷物の一例に相当）を作成する（詳細は後述）。
【００３１】
＜ラベル作成装置での制御内容＞
上記ラベル作成装置２０の制御回路２０２により実行される印字ラベルの作成時の制御手順について、図４を用いて説明する。
【００３２】
図４において、このフローに示す処理は、操作端末１０がラベル作成装置２０に対し適宜のラベル作成指示を出力することにより開始される。
【００３３】
まずステップＳ１０で、制御回路２０２は、搬送装置２０９に制御信号を出力し、カートリッジホルダ２１６に装着されたカートリッジ２０１のテープロール２０４からのテープ２０３の繰り出し、すなわちテープ２０３の搬送を開始させる。
【００３４】
そして、ステップＳ２０に処理を移し、制御回路２０２は、テープ２０３が所定量だけ搬送されたかどうかを公知の手法で判定する。なお、この所定量とは、例えば、テープ２０３の図示しない印字領域の先端が、印字ヘッド２０５とほぼ対向する位置に到達するだけの搬送距離（いわゆる前余白用の搬送量）である。上記所定量搬送されるまでステップＳ２０の判定が満たされず（Ｓ２０：ＮＯ）、ループ待機し、所定量搬送されたらステップＳ２０の判定が満たされて（Ｓ２０：ＹＥＳ）、ステップＳ３０に処理を移す。
【００３５】
ステップＳ３０では、制御回路２０２は、印字ヘッド２０５に制御信号を出力し、搬送装置２０９により搬送されるテープ２０３の印字領域に対し所望の印字を開始する。なお、このフローの実行時より前に、上記操作端末１０により作成され取得されたテンプレートＴが上記メモリ２０６に予め格納されている。このステップＳ３３０では、制御回路２０２は、メモリ２０６に格納されているテンプレートＴを読み出し、そのテンプレートＴの印字オブジェクトに文字又は図像を挿入（詳細は後述）して印刷データを生成し、その印刷データに基づく印字を開始する。
【００３６】
その後、ステップＳ４０で、制御回路２０２は、上記ステップＳ３０で開始した印字ヘッド２０５によるテープ２０３の上記印字領域への印刷データの印字がすべて完了しているかどうかを公知の手法で判定する。印字がすべて完了するまでステップＳ４０の判定が満たされず（Ｓ４０：ＮＯ）、ループ待機し、印字がすべて完了したらステップＳ４０の判定が満たされて（Ｓ４０：ＹＥＳ）、ステップＳ５０に処理を移す。
【００３７】
ステップＳ５０では、制御回路２０２は、テープ２０３がさらに所定量（例えば印字領域のすべてがカッタ２０７を所定の長さ分越えるだけの搬送距離。いわゆる後余白用の搬送量）だけ搬送されたかどうかを判定する。所定量搬送されるまでステップＳ５０の判定が満たされず（Ｓ５０：ＮＯ）、ループ待機し、所定量搬送されたらステップＳ５０の判定が満たされて（Ｓ５０：ＹＥＳ）、ステップＳ６０に処理を移す。
【００３８】
ステップＳ６０では、制御回路２０２は、搬送装置２０９に制御信号を出力し、ステップＳ２０で開始させたテープロール２０４からのテープ２０３の繰り出し、すなわちテープ２０３の搬送を停止させる。
【００３９】
そして、ステップＳ７０では、制御回路２０２は、表示部２１２に表示信号を出力し、カットレバー２１３を操作することによりテープ２０３を切断可能な状態である旨の表示を行わせる。その後、このフローに示す処理を終了する。上記表示に応じてユーザがカットレバー２１３を操作すると、カッタ２０７が作動してテープ２０３が切断される。このカッタ２０７による切断によって、テープ２０３から印字ヘッド２０５による印字が行われた部分が切り離されて、印字ラベルＬが生成される。
【００４０】
＜実施形態の特徴＞
本実施形態の特徴は、ユーザが上記複合機２００において読み取り対象物（この例では既存の印字ラベル。後述）をスキャンさせることで、その画像データに基づきテンプレートＴを簡単に作成できることにある。以下、そのテンプレートの作成手法の詳細を、図５〜図９を用いて順を追って説明する。
【００４１】
＜テンプレートの作成＞
すなわち、まず、図５（ａ）に示すように、ユーザが、読み取り対象物として、入手済みの既存の印字ラベルＬ０を用意する（なお、読み取り対象物として、例えばユーザが手書きしたラベル原稿等を使用してもよい）。この例では、印字ラベルＬ０は矩形状の形状を備えており、幅Ｗ０（図５（ａ）中の上下方向の寸法）が例えば３６ｍｍとなっている。また、印字ラベルＬ０は、中央上部に「火気厳禁」の文字が記載されるとともにその左右両側に「炎」のマークが描かれ、さらに、その下方に、「薬品名」「アスピリン」、「管理者」「堀田太郎」、「使用者」「呼続次郎」の文字がこの順に上から配置された表が描かれている。
【００４２】
この例では、ユーザが、上記既存の印字ラベルＬ０をベースに、管理者名の「堀田太郎」、使用者名の「呼続次郎」の文字を変更した、新たな印字ラベルＬを作成したい場合を一例として説明する。この場合、ユーザは、図５（ｂ）に示すように、印字ラベルＬ０中の上記「堀田太郎」及び「呼続次郎」の文字上（所望の部位の一例に相当）に、長方形状の付箋ｈ１ａ，ｈ１ｂ（マスキング部材の一例に相当）を貼る。そして、ユーザがその貼った状態の印字ラベルＬ０を複合機２００にセットし上記スキャンを行うことで、生成された読み取り画像データＨ０（各図中では「スキャンデータ」と略示）が無線通信により操作端末１０へ送信される。
【００４３】
操作端末１０では、複合機２００から送信された上記印字ラベルＬ０の読み取り画像データＨ０が受信され、取得される。その後、操作端末１０において、公知の画像解析等の手法により、図５（ｃ）に示すように、上記読み取り画像データＨ０中に含まれる、上記付箋ｈ１ａ，ｈ１ｂの外観を表す付箋画像Ｈ１ａ，Ｈ１ｂを含む第１画像データＨ１が検出され識別されるとともに、付箋ｈ１ａ，ｈ１ｂが貼られていない部分の外観を表す第２画像データＨ２（言い替えれば付箋ｈ１ａ，ｈ１ｂ以外のラベル画像データ）が識別される。
【００４４】
その後、操作端末１０は、図５（ｄ）に示すように、上記第１画像データＨ１に対応する部位（付箋画像Ｈ１ａ，Ｈ１ｂの位置）を、内容可変の印字オブジェクトＱ１（この例では２つの印字オブジェクトＱ１ａ，Ｑ１ｂ）の配置領域とし、かつ上記第２画像データＨ２に対応する部位を、印字ラベル画像Ｌ０を変倍した（＝等倍ではない）画像の固定画像領域Ｑ２とした、テンプレートＴを生成する。
【００４５】
このとき、テンプレートＴは、上記固定画像領域Ｑ２が変倍されることで、幅Ｗが例えば２４ｍｍに変更（すなわちこの例では３／４倍へ縮小）されている。また、印字オブジェクトＱ１は、（上記変倍を加味した状態で）付箋ｈ１，ｈ２と略同一の輪郭を有する、２つの印字オブジェクトＱ１ａ，Ｑ１ｂにより構成されており、固定画像領域Ｑ２は、上記印字ラベルＬ０の画像のうち上記印字オブジェクトＱ１以外の部分に対し上記変倍を行った画像の領域である。なお、央軌印字オブジェクトＱ１ａ，Ｑ１ｂは、上記とは異なり（上記変倍を加味した状態で）付箋ｈ１ａ，ｈ１ｂの輪郭よりも少し大きくし、付箋まわりに位置する上記表の枠線まで含むようにしてもよい。このようにして生成されたテンプレートＴは、ユーザによる適宜の操作により、操作端末１０にて記憶される（ラベル作成装置２０へと送信して記憶しても良い）。なお、図５（ｄ）中における上記印字オブジェクトＱ１ａ，Ｑ１ｂの配置領域を示す四角枠状の点線は、説明のために便宜上付しただけである（印字オブジェクトＱ１ａ，Ｑ１ｂの背景色は周囲領域Ｒと同一の色彩である。後述）。
【００４６】
その後、ユーザが、操作端末１０を適宜に操作し、図５（ｅ）に示すように、テンプレートＴの上記印字オブジェクトＱ１ａ，Ｑ１ｂそれぞれに、（上記印字ラベルＬ０の「堀田太郎」「呼続次郎」に代わる）所望の文字を挿入する。例えば、図５（ｅ）の左端に示す１番目の例では、上記テンプレートＴの印字オブジェクトＱ１ａ，Ｑ１ｂに、それぞれ「鳴海三郎」「富士松四郎」の文字が挿入されている。その右側の２番目の例では、上記印字オブジェクトＱ１ａ，Ｑ１ｂに、それぞれ「横須賀五郎」「舞子六男」の文字が挿入されている。上記のようにしてテンプレートＴの上記印字オブジェクトＱ１ａ，Ｑ１ｂ内に所望の文字が配置されると、これに対応した印刷データが生成されて印字ラベル作成装置２０へと送信される。このように、テンプレートＴの印字オブジェクトＱ１ａ，Ｑ１ｂに所望の文字を適宜に挿入することにより、同等の表記態様の印字ラベルＬを作成するための印刷データを順次生成可能である（以降の例については省略）。
【００４７】
上記のようにしてテンプレートＴを用いて生成された印刷データは、図６（ａ）に示すように、上記無線通信を介して操作端末１０から印字ラベル作成装置２０に送信され、ラベル作成装置２０において当該印刷データに基づく印字が行われ、対応する印字ラベルＬが作成される。これにより、図６（ｂ）に示すように、上記既存の印字ラベルＬ０の内容のうち、上記管理者名を「鳴海三郎」とし上記使用者名を「富士松四郎」に変更した印字ラベルＬ１、上記管理者名を「横須賀五郎」とし使用者名を「舞子六男」に変更した印字ラベルＬ２、・・等が生成される。なお、以上の例では一例として印字ラベルＬの幅Ｗを例えば２４ｍｍとしたが、上記既存の印字ラベルＬ０の幅Ｗ０と同様の３６ｍｍとしてもよい。この場合は前述した変倍は行われない（等倍での処理となる）。
【００４８】
＜テンプレートのレイヤー構造＞
なお、上記図５（ａ）〜（ｄ）の手順で生成される図５（ｄ）のテンプレートＴは、図７に示すように、２層のレイヤー構造を備えている。すなわち、図７（ａ）に示すように、テンプレートＴは、下層レイヤーの上に上層レイヤーを重ねた、２層のレイヤー構造で構成されている。
【００４９】
下層レイヤーは上記読み取り画像データＨ０であり、上記付箋ｈ１ａ，ｈ１ｂを貼った状態の印字ラベルＬ０の全外観に対応した（付箋画像Ｈ１ａ，Ｈ１ｂを含む）ビットマップファイル形式の画像である。
【００５０】
上層レイヤーは、印字オブジェクトＱ１ａ，Ｑ１ｂである。なお、このとき、これら印字オブジェクトＱ１ａ，Ｑ１ｂ内の背景色（地色）は、上記読み取り画像データＨ０中（言い替えれば第２画像データＨ２中）における第１画像データＨ１（付箋画像Ｈ１ａ，Ｈ１ｂ）の周囲領域Ｒの色彩と同一色に一致するよう、設定（変更）されている。
【００５１】
＜制御内容＞
上記の手法を実行するために、操作端末１０の制御回路１０２（詳細には上記ＣＰＵ）が実行する制御内容を図８及び図９を用いて説明する。
【００５２】
図８において、まず、ステップＳ２１０で、制御回路１０２のＣＰＵは、前述のようにして複合機２００から送信された印字ラベルＬ０の上記読み取り画像データＨ０を、上記通信制御部１０８を介して受信し取得する（上記図５（ｂ）参照））。なお、このステップＳ２１０が各請求項記載の画像取得手順に相当する。ステップＳ２１０が終了すると、ステップＳ２２０に処理を移す。
【００５３】
ステップＳ２２０では、制御回路１０２のＣＰＵは、公知の画像解析等の手法により、上記ステップＳ２１０で取得した読み取り画像データＨ０中に含まれる、（上記付箋画像Ｈ１ａ，Ｈ１ｂを含む）上記第１画像データＨ１と上記第２画像データＨ２とを、それぞれ識別する（上記図５（ｃ）参照）。このステップＳ２２０が各請求項記載の画像識別手順に相当する。ステップＳ２２０が終了すると、ステップＳ２３０に処理を移す。
【００５４】
ステップＳ２３０では、制御回路１０２のＣＰＵは、読み取り画像データＨ０中の第１画像データＨ１（上記付箋画像Ｈ１ａ，Ｈ１ｂ）の周囲領域Ｒ（図７参照）の色彩を識別する。このステップＳ２３０が各請求項記載の色彩識別手順に相当する。ステップＳ２３０が終了すると、ステップＳ２４０に処理を移す。
【００５５】
ステップＳ２４０では、制御回路１０２のＣＰＵは、上記ステップＳ２２０の識別結果と、上記ステップＳ２３０の第１画像データＨ１及び第２画像データＨ２の識別結果とに基づき、テンプレートＴを生成する処理を行う。このステップＳ２４０が各請求項記載のテンプレート生成手順に相当する。
【００５６】
ステップＳ２４０のテンプレート生成処理の詳細を図９に示す。図９において、まずステップＳ２４１で、制御回路１０２のＣＰＵは、上記ステップＳ２２０での識別結果に基づき、読み取り画像データＨ０中の上記第１画像データＨ１（上記付箋画像Ｈ１ａ，Ｈ１ｂ）に対応する部位を、上記印字オブジェクトＱ１ａ，Ｑ１ｂの配置領域に決定する（図５（ｃ）及び図５（ｄ）参照）。なおこのときに、後述のステップＳ２４２における画像の変倍も考慮して上記決定を行う。ステップＳ２４１が終了すると、ステップＳ２４２に処理を移す。
【００５７】
ステップＳ２４２では、制御回路１０２のＣＰＵは、上記ステップＳ２４１での識別結果に基づき、上記印字オブジェクトＱ１ａ，Ｑ１ｂの配置領域以外の部位を、読み取り画像データＨ０中の上記第２画像データＨ２を変倍した画像の固定画像領域Ｑ２に決定する（図５（ｃ）及び図５（ｄ）参照）。これにより、制御回路１０２のＣＰＵは、ステップＳ２４１で決定した印字オブジェクトＱ１ａ，Ｑ１ｂと上記固定画像領域Ｑ２とを備えた、テンプレートＴを生成する（図５（ｄ）参照）。ステップＳ２４２が終了すると、図８のステップＳ２５０に処理を移す。
【００５８】
図８に戻り、ステップＳ２５０では、制御回路１０２のＣＰＵは、ユーザによる操作端末１０の適宜の操作を介した、テンプレートＴの印字オブジェクトＱ１ａ，Ｑ１ｂ内の文字の入力を受け付ける。ステップＳ２５０が終了すると、ステップＳ２６０に処理を移す。
【００５９】
ステップＳ２６０では、制御回路１０２のＣＰＵは、上記ステップＳ２５０で受け付けた文字の受け付け結果に基づき、上記ステップＳ２４０で生成したテンプレートＴ中の印字オブジェクトＱ１ａ，Ｑ１ｂそれぞれに上記受け付けた文字を挿入し（割り当て）、さらにその文字が挿入されたテンプレートＴに対応した、上記ラベル作成装置２０が印字ラベルＬを作成するための印刷データを生成する。このとき、制御回路１０２のＣＰＵは、上記ステップＳ２３０で識別した上記周囲領域Ｒの色彩に基づき、上記印刷データの印字オブジェクトＱ１ａ，Ｑ１ｂの背景色を、上記周囲領域Ｒの色と同一色に一致させて設定する。このステップＳ２６０が各請求項記載の印刷データ生成手順に相当する。ステップＳ２６０が終了すると、制御回路１０２のＣＰＵは、ステップＳ２７０に処理を移す。
【００６０】
ステップＳ２７０では、制御回路１０２のＣＰＵは、通信制御部１０８に制御信号を出力し、上記ステップＳ２６０で生成した印刷データを通信制御部１０８を介して上記無線通信によりラベル作成装置２０に送信する。そして、このフローを終了する。
【００６１】
＜実施形態の効果＞
以上説明したように、本実施形態では、ユーザが、既に入手している既存の印字ラベルＬ０の所望の箇所に付箋ｈ１ａ，ｈ１ｂを貼付する。そしてその状態で、読み取り機能を有する複合機２００に印字ラベルＬ０をセットし読み取りを行わせることで、対応する読み取り画像データが生成される。そして、操作端末１０では、生成された読み取り画像データＨ０に基づき、第１画像データＨ１（付箋画像Ｈ１ａ，Ｈ１ｂ）に対応する部位を上記印字オブジェクトＱ１ａ，Ｑ１ｂの配置領域とし、それ以外の部位を、読み取り画像データＨ０中の上記第２画像データＨ２を変倍した画像の固定画像領域Ｑ２とした、テンプレートＴを生成する。そして、このテンプレートＴの上記印字オブジェクトＱ１ａ，Ｑ１ｂに対し、前述した所望の文字や図像が割り当てられた印刷データがラベル作成装置に送信されて対応する印字ラベルＬが作成される。この結果、入手済みの印字ラベルＬ０の外観に相当する画像を背景にしつつ、印字ラベルＬ０の上記付箋ｈ１ａ，ｈ１ｂに相当する位置に、所望の文字や図像を配置した印字ラベルＬを手軽に作成することができる。これにより、ユーザにとっての利便性を向上することができる。
【００６２】
また、本実施形態では特に、テンプレートＴの生成の際、読み取り画像データＨ０中の上記印字オブジェクトＱ１の配置領域以外の部位を、第２画像データＨ２を予め定められた印字ラベルＬのサイズ（例えば２４ｍｍ，３６ｍｍなど）となるように変倍した画像の固定画像領域Ｑ２とする。これにより、印字ラベルＬを作成するのに使用する、所望のテープ２０３の幅Ｗに対応したテンプレートＴを確実に作成することができる。
【００６３】
また、本実施形態では特に、上記テンプレートＴは、付箋ｈ１ａ，ｈ１ｂを貼った状態の印字ラベルＬ０の全外観に対応した、上記読み取り画像データＨ０を下層レイヤーとし、印字オブジェクトＱ１ａ，Ｑ１ｂを上層レイヤーとする、２層のレイヤー構造を備えている。
【００６４】
これにより、既存の印字ラベルＬ０の外観相当の画像を背景にしつつ付箋ｈ１ａ，ｈ１ｂに相当する位置に所望の文字や図像を配置可能なテンプレートＴを、容易に実現することができる。
【００６５】
また、本実施形態では特に、上記識別した第２画像データＨ２中の、第１画像データＨ１の周囲領域Ｒにおける色彩（付箋ｈ１ａ，ｈ１ｂまわりの印字ラベル画像の色）を識別し、テンプレートＴにおける印字オブジェクトＱ１の背景色を、その識別した色彩と一致させる。これには以下のような意義がある。
【００６６】
すなわち、上記のように、印字ラベルＬ０の外観を表す上記読み取り画像データＨ０からなる下層の上に、印字オブジェクトＱ１ａ，Ｑ１ｂを上層として重畳させる手法の場合、上記印字オブジェクトＱ１ａ，Ｑ１ｂの背景を透明とすると、その背面側に位置する印字ラベルＬ０の色が透けて見えてしまう。そのため、上記印字オブジェクトＱ１ａ，Ｑ１ｂの背景色として透明でない何らかの色彩を付す必要がある。しかしながら、その際、その印字オブジェクトＱ１ａ，Ｑ１ｂの背景色が、上記周囲領域Ｒ（言い換えれば印字ラベルＬ０のうち付箋ｈ１ａ，ｈ１ｂの周囲部位）の色と異なっていると、印刷された印字ラベルＬにおいて、上記印字ラベルＬ０の外観に対応する画像中に、付箋ｈ１ａ，ｈ１ｂの外形が浮き出るような形となり美観上好ましくない。
【００６７】
そこで、本実施形態においては、上記ステップＳ２３０にて上記周囲領域Ｒの色彩が識別され、ステップＳ２６０で生成される印刷データにおいて、印字オブジェクトＱ１ａ，Ｑ１ｂの背景色が、上記識別された周囲領域Ｒの色に一致化される。これにより、上記の弊害を回避し、印字ラベルＬの美観を向上することができる。
【００６８】
なお、上記本実施形態では、複数の印字オブジェクトＱ１ａ，Ｑ１ｂをテキストオブジェクトとした場合を例にとって説明したが、これに限られない。すなわち、複数の印字オブジェクトとして、例えばバーコードオブジェクト、画像オブジェクト等、互いに異なる属性のオブジェクトとすることもできる。
【００６９】
この場合、互いに異なる特徴を備えた（例えば互いに異なる色や形状や大きさを備えた）複数の付箋を用いることで、それら複数の付箋に対し、互いに異なる属性のオブジェクト（バーコードオブジェクト、テキストオブジェクト、画像オブジェクト等）を適宜に対応付けた、テンプレートＴを生成することも可能となる。
【００７０】
＜変形例＞
なお、本発明は、上記実施形態に限られるものではなく、その趣旨及び技術的思想を逸脱しない範囲内で種々の変形が可能である。以下、そのような変形例について順次説明する。上記実施形態と同等の部分には同一の符号を付し、適宜説明を省略又は簡略化する。
【００７１】
（１）異なる色の付箋を使用する場合
上記実施形態では、上記テンプレートＴの印字オブジェクトＱ１ａ，Ｑ１ｂに対し、ユーザがそれぞれ所望の文字を挿入し割り当てたが、これに限られない。すなわち、印字ラベルＬ０に貼り付ける付箋として、互いに異なる色を備えた２つの付箋を用い、それぞれの色に対応して、自動的に文字や図像等を割り当ててもよい。そのような変形例を以下、詳細に説明する。この例では、前述した管理者名及び使用者名を所定のデータベース内のレコードのデータから挿入する、いわゆるデータベース印刷を行う変形例である。
【００７２】
本変形例では、上記データベースは、前述の外部サーバ３０に記憶されている。このデータベースの一例を図１０（ａ）に示す。図示のように、このデータベース３２は、２つのフィールドに対し文字（又は図像でもよい）をそれぞれ割り当てた複数のレコードを含んでいる。すなわち、レコードナンバー「１」のレコードでは、文字列「山本伊万里」がフィールド１の記憶内容として割り当てられ、文字列「丸岡春江」がフィールド２の記憶内容として割り当てられている。なおレコードナンバー「２」以降の各レコードについても、同様に、フィールド１及びフィールド２に対して適宜の文字が記憶内容として割り当てられている（詳細は図示及び説明を省略）。
【００７３】
本変形例では、上記のデータベース３２における記憶内容に対し、前述の互いに異なる色の付箋を用いることで、印字オブジェクトＱ１，Ｑ２への挿入態様を異ならせることができる。図１０（ｂ）及び図１０（ｃ）は、そのような２つの例を示している。これら図１０（ｂ）及び図１０（ｃ）に示す例では、付箋に色による順番が付与される。この例では、赤色の付箋ｈｒにフィールド１の文字を割り当て、青色の付箋ｈｂにフィールド２の文字を割り当てる、というルール（規則性）が予め設定され、例えば操作端末１０内の適宜の箇所に記憶されている。
【００７４】
この前提で、図１０（ｂ）の例では、ユーザが、上記既存の印字ラベルＬ０の管理者名（前述の例では「堀田太郎」）の文字上に赤色の付箋ｈｒを貼り、使用者名（前述の例では「呼続次郎」）の文字上に青色の付箋ｈｂを貼り、複合機２００でスキャンする。この結果、その読み取り画像データＨ０′を取得した操作端末１０は、前述と同様の手法により、上記管理者名及び上記使用者名にそれぞれ対応する上記印字オブジェクトＱ１ａ，Ｑ１ｂに対して、上記ルールに応じてデータベース３２の各レコード中のデータ内容を順次割り当てる。すなわち上記レコードナンバー「１」のレコードに関しては、フィールド１の文字列「山本伊万里」が印字オブジェクトＱ１ａに割り当てられ、フィールド２の文字列「丸岡春江」が印字オブジェクトＱ１ｂに割り当てられる。この結果、対応する印刷データに基づき、ラベル作成装置２０は、図１０（ｂ）中の右端に示すように、「薬品名」「アスピリン」、「管理者」「山本伊万里」、「使用者」「丸岡春江」の文字がこの順に上から配置された印字ラベルＬ３を作成することができる。
【００７５】
一方、図１０（ｃ）に示す例では、ユーザが、上記とは逆に、印字ラベルＬ０の管理者名の文字上に青色の付箋ｈｂを貼り、使用者名の文字上に赤色の付箋ｈｒを貼り、複合機２００でスキャンする。この場合も、その読み取り画像データＨ０″を取得した操作端末１０は、前述と同様の手法により、上記管理者名及び上記使用者名にそれぞれ対応する上記印字オブジェクトＱ１ａ，Ｑ１ｂに対して、上記ルールに応じてデータベース３２の各レコード中のデータ内容を順次割り当てる。すなわち上記レコードナンバー「１」のレコードに関しては、フィールド２の文字列「丸岡春江」が印字オブジェクトＱ１ａに割り当てられ、フィールド１の文字列「山本伊万里」が印字オブジェクトＱ１ｂに割り当てられる。この結果、対応する印刷データに基づき、ラベル作成装置２０は、図１０（ｂ）中の右端に示すように、「薬品名」「アスピリン」、「管理者」「丸岡春江」、「使用者」「山本伊万里」の文字がこの順に上から配置された印字ラベルＬ４を作成することができる。
【００７６】
なお、上記では、赤色の付箋ｈｒ、青色の付箋ｈｂの２つの付箋を用いる場合を例に挙げて説明したが、付箋は赤色、青色、黄色等、互いに色が異なる３種類以上を用いてもよい。この場合も、それら複数の色別に定められた所定の規則性に基づき、上記データベース３２のレコードの複数のフィールドの文字を適宜の順番に、赤色の付箋→青色の付箋→黄色の付箋、・・・等のように順に割り当れば足りる。
【００７７】
また、上記規則性の適用において識別される、複数の付箋の互いに異なる特徴として、上記のように互いに色が異なる場合にも限られず、同色の付箋において上下方向の位置が異なることによって前述のフィールドとの対応付けを異ならせても良い。例えば、上記印字ラベルＬ０のうち適宜の上・中・下の３個所にそれぞれ（互いに同色の）付箋を貼り付け、それらの位置の違いに基づき、データベース３２の各レコードについて、例えばフィールド１の文字列等を上段の付箋に対応する印字オブジェクトに割り当て、フィールド２の文字列等を中段の付箋に対応する印字オブジェクトに割り当て、フィールド３の文字列等を下段の付箋に対応する印字オブジェクトに割り当てる、等としてもよい。
【００７８】
＜制御内容＞
上記手法を実行するために、制御回路１０２（詳細には上記ＣＰＵ）が実行する制御内容を図１１を用いて説明する。
【００７９】
すなわち、本変形例における上記ＣＰＵにおいても、前述の図１０に示した各手順を実行する。そして、ステップＳ２４０では、前述の図９に代えて、図１１に示すテンプレート生成処理を実行する。
【００８０】
図１１において、まず、ステップＳ３０５では、制御回路１０２のＣＰＵは、前述のようにして複合機２００から送信された印字ラベルＬ０の上記読み取り画像データＨ０中に、複数の付箋の画像が含まれるか否かを、公知の画像解析等の手法により判定する。読み取り画像データＨ０に付箋が１つしかない場合はステップＳ３０５の判定が満たされず（Ｓ３０５：ＮＯ）、ステップＳ３１０に処理を移す。
【００８１】
ステップＳ３１０では、制御回路１０２のＣＰＵは、上記ステップＳ２２０で識別した画像の識別結果に基づき、読み取り画像データＨ０′，Ｈ０″中の上記第１画像データ（但しこの場合は１つの付箋画像のみを含む）に対応する部位を１つの印字オブジェクトの配置領域に決定する。その後、後述のステップＳ３２０に処理を移す。
【００８２】
一方、ステップＳ３０５において付箋が複数あった場合は判定が満たされ（Ｓ３０５：ＹＥＳ）、ステップＳ３０６に処理を移す。ステップＳ３０６では、制御回路１０２のＣＰＵは、処理数を表す変数ｎをｎ＝１とした後、ステップＳ３０７に処理を移す。
【００８３】
ステップＳ３０７では、制御回路１０２のＣＰＵは、前述のようにして予め定められた規則性に基づき、読み取り画像データＨ０′，Ｈ０″中に含まれる複数の付箋に対応する複数の第１画像データのうち、ｎ番目の色（図１０（ｂ）の例では上から順に１番目が赤で２番目が青、図１０（ｃ）の例では上から順に１番目が青で２番目が赤）の付箋の部位（付箋画像の位置）を、データベース３２のｎ番目のフィールドのデータを内容とする印字オブジェクトの配置領域に決定する。ステップＳ３０７が終了すると、ステップＳ３０８に処理を移す。
【００８４】
ステップＳ３０８では、制御回路１０２のＣＰＵは、第１画像データＨ１中の全ての付箋について上記ステップＳ３０７における処理が終了したか否かを判定する。全ての付箋について上記の処理がまだ終了していない場合はステップＳ３０８の判定が満たされず（Ｓ３０８：ＮＯ）、ステップＳ３０９で上記変数ｎを１インクリメントした後、上記ステップＳ３０７に戻って同様の手順を繰り返す。全ての付箋について上記処理が終了した場合はステップＳ３０８の判定が満たされ（Ｓ３０８：ＹＥＳ）、ステップＳ３２０に処理を移す。
【００８５】
ステップＳ３２０では、制御回路１０２のＣＰＵは、上記ステップＳ２２０で識別した画像の識別結果に基づき、読み取り画像データＨ０′，Ｈ０″中の上記第２画像データに対応する領域（上記印字オブジェクト以外の領域）を、固定画像領域として決定する。ステップＳ３２０が終了すると、このルーチンを終了して図８のステップＳ２５０に移行する。
【００８６】
以上のように、本変形例においては、印字ラベルＬ０に対し複数の付箋ｈｒ，ｈｂが用いられることにより、上記ステップＳ２４０（詳細にはステップＳ３０７）で、各付箋ｈｒ，ｈｂにそれぞれ対応する複数の印字オブジェクトを備えたテンプレートＴが生成される。このとき、印字ラベルＬ０に貼付される上記付箋複数ｈｒ，ｈｂのそれぞれが、互いに異なる特徴（この例では異なる色）を備えている。そして、ステップＳ２６０で生成される上記印刷データでは、複数の文字（又は図像等でもよい）が、各付箋ｈｒ，ｈｂの上記特徴に対し前述の規則性を適用して順次配置される。これにより、複数の文字（又は図像）を、ユーザが所望する態様で配置した印字レベルＬ３，Ｌ４を確実に作成することができる。
【００８７】
また、本変形例では特に、ステップＳ２１０では、互いに異なる色を備えた複数の付箋ｈｒ，ｈｂが貼付された読み取り画像データＨ０′，Ｈ０″が取得される。このように、複数色の付箋ｈｒ，ｈｂを用意して用いることで、ユーザが所望する態様で複数の文字（又は図像）を配置した印字ラベルＬ３，Ｌ４を容易に作成することができる。
【００８８】
また、本変形例では特に、上記ステップＳ２６０において、フィールド１，２に対し文字をそれぞれ割り当てたレコードナンバー「１」「２」・・・の複数のレコードを含むデータベース３２に基づき、各レコードにおいてフィールド１，２に割り当てられた文字（又は図像等でも良い）を複数の印字オブジェクトそれぞれに割り付けることで、印字ラベルＬ３，Ｌ４，・・作成用の印刷データが生成される。これにより、データベース３２の各フィールド１，２に割り当て済みの文字等をテンプレートＴの印字オブジェクトに割り当てつつ各レコードごとに順次印刷を行う、いわゆるデータベース印刷を実行することができる。そしてそのデータベース印刷で用いられるテンプレートＴを、入手済みの所望の印字ラベルＬ０に付箋ｈｒ，ｈｂを貼付してスキャンによる読み取りを行う上記の手法で、容易に作成することができる。
【００８９】
なお、上記においては、互いに異なる色を備えた、赤色の付箋ｈｒ及び青色の付箋ｈｂを用い、色の違いによって前述の規則性によるデータとの対応付けを異ならせたが、これに限られない。例えば赤色の付箋を複数枚で１グループ、青色の付箋を複数枚で１グループとして用いるとともに、同一色である各グループ内においては、色ではない別の特徴（例えば前述したような貼り付け位置の違い等）によって前述の規則性によるデータとの対応付けを異ならせるようにしてもよい。
【００９０】
（２）スタンドアローンタイプの印刷装置ですべての処理を行う場合
以上においては、操作端末１０に備えられた制御回路２０２のＣＰＵにおいて、上記図８及び図９（又は図１１）のステップＳ２１０〜ステップＳ２６０の処理を行って印刷データをラベル作成装置２０へ送信し、ラベル作成装置２０が当該印刷データに基づきテンプレートＴを用いた印刷を行った（図４のステップＳ３０参照）が、これに限られない。すなわち、いわゆるスタンドアローンタイプのラベル作成装置２０（但し複合機２００に対しては何らかの形で情報送受可能である）を用いる場合に、上記ステップＳ２１０〜ステップＳ２６０の処理と同等の処理を、当該ラベル作成装置２０の制御回路２０２において行うようにしてもよい。
【００９１】
この場合、ラベル作成装置２０は、上記制御回路２０２は、上記操作端末１０の制御回路１０２と同様に、印字ラベルＬ０の上記読み取り画像データＨ０を上記複合機２００から取得する画像取得処理；上記画像取得処理で取得した読み取り画像データＨ０中に含まれる（付箋ｈ１ａ，ｈ１ｂ又は付箋ｈｒ，ｈｂ）の外観に対応する）上記第１画像データＨ１及び（印字ラベルＬ０のうち付箋ｈ１ａ，ｈ１ｂ又は付箋ｈｒ，ｈｂが貼られていない部分の外観に対応する）上記第２画像データＨ２、をそれぞれ識別する画像識別処理；上記画像識別処理での識別に応じて、第１画像データＨ１に対応する部位を内容可変の上記印字オブジェクトＱ１の配置領域とするとともに、当該印字オブジェクトＱ１以外の部位を、第２画像データＨ２を変倍した画像の固定画像領域Ｑ２とした、テンプレートＴを生成するテンプレート生成処理；上記テンプレート生成処理で生成したテンプレートＴに備えられた印字オブジェクトＱ１に対し所望の文字（又は図像）を割り付けた印刷データに基づき搬送装置２０９及び印字ヘッド２０５を制御し、対応する印字ラベルＬ１〜Ｌ４を作成する印刷物作成処理；を実行する。
【００９２】
この変形例においても、前述と同様の効果を得ることができる。
【００９３】
（３）その他
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【００９４】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００９５】
なお、以上において、図１（ｂ）、図２（ｂ）、図３（ｂ）の各図中に示す矢印は信号の流れの一例を示すものであり、信号の流れ方向を限定するものではない。
【００９６】
また、図４、図８、図９に示すフローチャートは本発明を上記フローに示す手順に限定するものではなく、発明の趣旨及び技術的思想を逸脱しない範囲内で手順の追加・削除又は順番の変更等をしてもよい。
【００９７】
また、以上既に述べた以外にも、上記実施形態や変形例による手法を適宜組み合わせて利用しても良い。
【００９８】
その他、一々例示はしないが、本発明は、その趣旨を逸脱しない範囲内において、種々の変更が加えられて実施されるものである。
【符号の説明】
【００９９】
１０              操作端末
２０              ラベル作成装置（印刷装置）
３２              データベース
１０２            制御回路（演算手段、制御手段）
２０３            テープ（被印字媒体）
２０５            印字ヘッド（印字手段）
２０９            搬送装置（搬送手段）
ｈ１ａ，ｈ１ｂ    付箋（マスキング部材）
ｈｒ，ｈｂ        付箋（マスキング部材）
Ｈ０              読取画像データ
Ｈ１              第１画像データ
Ｈ２              第２画像データ
Ｌ                印字ラベル（印刷物）
Ｌ１〜４          印字ラベル（印刷物）
Ｌ０              印字ラベル（読み取り対象物）
Ｑ１              印字オブジェクト
Ｑ１ａ，Ｑ１ｂ    印字オブジェクト
Ｑ２              固定画像領域
Ｔ                テンプレート
【図１】
2020110974.tif 000003
【図２】
2020110974.tif 000004
【図３】
2020110974.tif 000005
【図４】
2020110974.tif 000006
【図５】
2020110974.tif 000007
【図６】
2020110974.tif 000008
【図７】
2020110974.tif 000009
【図８】
2020110974.tif 000010
【図９】
2020110974.tif 000011
【図１０】
2020110974.tif 000012
【図１１】
2020110974.tif 000013